(57)【要約】【課題】目的とする物品に空間機能提示装置を取り付けて見つけ出し易くする場合に、使用開始及びその後の設置作業時間を減少させる。【解決手段】空間機能提示装置１、１ａ、１ｂ、１ｃは、外部との無線通信を行う通信モジュールと、前記通信モジュールによって受信したデータに応じて所定の動作を行う機能モジュールと、を含んで構成され、全てのモジュールを一体として取付け自在に構成されている。これら空間機能提示装置１ａ、１ｂ、１ｃを、調剤に用いられる薬品を収容する容器に取り付けておき、ＬＥＤを発光させることで、必要なものを直感的に見つけ出し易くする。有線方式を採用する場合に比べ、使用開始及びその後の設置作業時間が減少する。【選択図】      図１
2006006693.tif 000002
【特許請求の範囲】
【請求項１】
外部との無線通信を行う通信モジュールと、前記通信モジュールによって受信したデータに応じて所定の動作を行う機能モジュールと、を含み、全てのモジュールを一体として取付け自在に構成されていることを特徴とする空間機能提示装置。
【請求項２】
自装置に付与されたＩＤを記憶する記憶モジュールを更に含み、前記通信モジュールによって受信したＩＤと前記記憶モジュールに記憶されているＩＤとが一致した場合にのみ前記機能モジュールを起動することを特徴とする請求項１記載の空間機能提示装置。
【請求項３】
前記機能モジュールは、前記データの内容に応じて発光するランプを含むことを特徴とする請求項１又は２記載の空間機能提示装置。
【請求項４】
前記機能モジュールは、前記データの内容に応じて音声を出力するブザーを含むことを特徴とする請求項１又は２記載の空間機能提示装置。
【請求項５】
前記通信モジュールは、他の装置とアドホック通信を行うことを特徴とする請求項１から４のいずれか１項に記載の空間機能提示装置。
【請求項６】
近接するＩＣタグに記憶されているデータを読取るタグ読取りモジュールを更に含み、前記タグ読取りモジュールによって読み取ったデータを用いて所定の処理を行うことを特徴とする請求項１から５のいずれか１項に記載の空間機能提示装置。
【請求項７】
請求項２から６のいずれか１項に記載の空間機能提示装置と、前記空間機能提示装置に該装置識別用のＩＤを付与するサーバ装置とを含み、前記空間機能提示装置は、前記サーバ装置によって付与されたＩＤを前記記憶モジュールに記憶することを特徴とする空間機能提示システム。
【請求項８】
前記空間機能提示装置は、調剤に用いられる薬品を収容する容器に取り付られ、
前記容器に収容されている薬品に対するアクセスが行われたことを検出するセンサモジュールを前記空間機能提示装置に更に設けたことを特徴とする請求項７記載の空間機能提示システム。
【発明の詳細な説明】
【技術分野】
【０００１】
本発明は空間機能提示装置、空間機能提示システムに関し、特に同種の物品のなかから目的とする物品を見つけ出し易くするための空間機能提示装置、空間機能提示システムに関する。
【背景技術】
【０００２】
一般に、薬局には、薬品が置かれている薬品棚が多く設けられている。この薬品棚の薬は、五十音順に並べられていることが多い。そして、薬局での調剤行為は、調剤者が病院で出された処方箋を見ながら、薬品を薬品棚から見つけ出し、この見つけ出した薬品を用いて行われる。多くの薬品棚から目的とする薬品を見つけ出すのは困難であり、取り間違いを誘発している。
【０００３】
特許文献１では、薬品棚に収納されている薬剤瓶の底面にデータキャリア及びＬＥＤ（Ｌｉｇｈｔ  Ｅｍｉｔｔｉｎｇ  Ｄｉｏｄｅ）を取り付けておき、薬品が選択された時にＬＥＤを発光させることで、目的の薬品を見つけ易くする技術が記載されている。
【特許文献１】特開２００４−１４８０３６号公報（段落[００３１]〜[００３５]）
【発明の開示】
【発明が解決しようとする課題】
【０００４】
しかし、特許文献１に記載されている技術を採用する場合、薬品棚に特別な装置を取り付けなければならず、使用開始までに設置作業時間が多くかかる。また、後に薬品棚が増えたり、薬品の種類が追加されたりした場合にも、特別な装置を追加する必要があり、同様に設置作業時間が多くかかるという問題がある。
本発明は上述した従来技術の問題を解決するためになされたものであり、その目的は使用開始及びその後の設置作業時間を減少させることのできる空間機能提示装置、空間機能提示システムを提供することである。
【課題を解決するための手段】
【０００５】
本発明の請求項１による空間機能提示装置は、外部との無線通信を行う通信モジュールと、前記通信モジュールによって受信したデータに応じて所定の動作を行う機能モジュールと、を含み、全てのモジュールを一体として取付け自在に構成されていることを特徴とする。このように構成すれば、目的とする物品に空間機能提示装置を取り付けて見つけ出し易くする場合に、使用開始及びその後の設置作業時間を減少させることができる。
【０００６】
本発明の請求項２による空間機能提示装置は、請求項１において、自装置に付与されたＩＤを記憶する記憶モジュールを更に含み、前記通信モジュールによって受信したＩＤと前記記憶モジュールに記憶されているＩＤとが一致した場合にのみ前記機能モジュールを起動することを特徴とする。このように構成すれば、複数の空間機能提示装置のうち、必要な装置のみを動作させることができ、その他の装置の消費電力を抑えることができる。このため、電源には小容量の電池を用いることができ、装置全体のサイズを小さくできる。
【０００７】
本発明の請求項３による空間機能提示装置は、請求項１又は２において、前記機能モジュールは、前記データの内容に応じて発光するランプを含むことを特徴とする。このように構成すれば、目的とする物品に空間機能提示装置を取り付けてランプを点灯させることにより、必要なものを直感的に見つけ出し易くすることができる。特に、処方箋と発光色
とを対応付ければ、複数の調剤者が同時に作業を行うことができる。
【０００８】
本発明の請求項４による空間機能提示装置は、請求項１又は２において、前記機能モジュールは、前記データの内容に応じて音声を出力するブザーを含むことを特徴とする。このように構成すれば、目的とする物品に空間機能提示装置を取り付けて音声出力させることにより、必要なものを直感的に見つけ出し易くすることができる。また、例えば調剤者が異なる棚（すなわち、間違った棚）をアクセスした際には警告ブザーを発することで、ヒューマンエラーを防止できる。
【０００９】
本発明の請求項５による空間機能提示装置は、請求項１から４のいずれか１項において、前記通信モジュールは、他の装置とアドホック通信を行うことを特徴とする。このように構成すれば、サーバからの無線通信電波が届かない場合、電波の届く空間機能提示装置の１つがリピータとしての機能を有し、他の装置が中継的な役割を果たすことで、アドホック通信を実現できる。
【００１０】
本発明の請求項６による空間機能提示装置は、請求項１から５のいずれか１項において、近接するＩＣタグに記憶されているデータを読取るタグ読取りモジュールを更に含み、前記タグ読取りモジュールによって読み取ったデータを用いて所定の処理を行うことを特徴とする。このように構成すれば、読み取ったデータを用いて様々な処理を行うことができる。例えば、薬剤のヒートシールにＩＣタグを貼り付け、機能モジュールにＩＣタグのリーダを取り付ければ、棚に収容されている薬の種類、個数を自動的に判断し、その棚に入っている薬の種類を自動的にサーバへ送ることができ、薬剤の在庫管理を行うこともできる。
【００１１】
本発明の請求項７による空間機能提示システムは、
請求項２から６のいずれか１項に記載の空間機能提示装置と、前記空間機能提示装置に該装置識別用のＩＤを付与するサーバ装置とを含み、前記空間機能提示装置は、前記サーバ装置によって付与されたＩＤを前記記憶モジュールに記憶することを特徴とする。このように構成すれば、初めて使用する空間機能提示装置については、その記憶モジュールにはＩＤ番号が記憶されていないので、ＩＤを付与して記憶させることができる。また、空間機能提示装置が故障した場合には、その故障した装置の代わりに新たな空間機能提示装置を容易に導入できる。
【００１２】
本発明の請求項８による空間機能提示システムは、請求項７において、前記空間機能提示装置は、調剤に用いられる薬品を収容する容器に取り付られ、前記容器に収容されている薬品に対するアクセスが行われたことを検出するセンサモジュールを前記空間機能提示装置に更に設けたことを特徴とする。このように構成すれば、容器から薬品を取り出した場合にのみ、ＬＥＤの発光を停止させることができ、取り出し忘れや重複して取り出すことを防止できる。なお、本明細書における「容器」という語句には棚も含むものとする。
【発明の効果】
【００１３】
以上説明したように本発明は、外部との通信を行う通信モジュールと、その通信モジュールによって受信したデータに応じて所定の動作を行う機能モジュールとを一体化した装置を取付け自在に構成することにより、その装置を取り付けた物品に様々な機能を付与することができるという効果がある。特に、薬品棚に並べられている薬品を収容する容器に取り付けることにより、目的とする薬品に迅速にアクセスでき、その後の薬品追加も容易になるので、使用開始及びその後の設置作業時間を減少させることができるという効果がある。
【発明を実施するための最良の形態】
【００１４】
以下、本発明の実施の形態を、図面を参照して説明する。なお、以下の説明において参照する各図では、他の図と同等部分は同一符号によって示されている。
（システム全体の構成）
図１は、本発明による空間機能提示システムの実施形態の構成を示すブロック図である。同図に示されているように、空間機能提示システムは、ホストとしての役割を有するサーバ１０と、クライアントとしての役割を有する空間機能提示装置１ａ、１ｂ、１ｃとを含んで構成されている。サーバ１０には、空間機能提示装置１が接続されており、他の空間機能提示装置１ａ、１ｂ、１ｃ、との間で情報の授受が行われる。なお、サーバ１０には、例えば、一般的なパーソナルコンピュータ（ＰＣ）を利用する。
【００１５】
サーバ１０に接続されている空間機能提示装置１は、上記の空間機能提示装置１ａ、１ｂ、１ｃ、を統括する役割を果たす。空間機能提示装置１は、サーバ１０の筐体裏側などに取り付られる。
空間機能提示装置１ａ、１ｂ、１ｃは、すべて同様の構成になっていても良いし、それぞれ異なる構成になっていても良い。本例のシステムでは、クライアントとして、３つの空間機能提示装置１ａ、１ｂ、１ｃが設けられているが、その数に限定されることはない。これら空間機能提示装置１、１ａ、１ｂ、１ｃ、は通常時省電力モード（スリープモード）で動作する。そして、トリガ信号の入力に応答して特定の装置のみがウェイクアップし、他の装置はスリープ状態に戻るように制御される。このように制御することで、電池モジュール１４によるボタン電池程度の電源で数年間は電池交換などのメンテナンスは不要になる。
【００１６】
個々の空間機能提示装置１ａ、１ｂ、１ｃ、は、通信モジュールによる送受信機能を有しており、お互いにアドホック通信が可能である。すなわち、サーバに接続されている空間機能提示装置１からの無線通信電波が届かない場合、電波の届く空間機能提示装置の１つがリピータとしての機能を有し、他の装置が中継的な役割を果たすことで、アドホック通信を実現できる。
空間機能提示装置は、小型・安価・長寿命であり、かつ、省電力無線であることから、システムのインストールはユーザが行うことができる。
【００１７】
（空間機能提示装置の構成）
図２は、図１中の空間機能提示装置１、１ａ、１ｂ、１ｃの構成例を示すブロック図である。同図に示されているように、空間機能提示装置は、通信モジュール１１と、タイマモジュール１２と、記憶モジュール１３と、電池モジュール１４と、処理モジュール１５と、機能モジュール１６と、インタフェースモジュール１７とを含んで構成されている。
そして、これら空間機能提示装置は、全てのモジュールを一体として取付け自在に構成されている。例えば粘着テープの粘着力によって、目的とする物品や場所に貼付できるように構成されている。マジックファスナー（登録商標）（面ファスナー）によって貼付できるように構成しても良い。
【００１８】
タイマモジュール１２は、時間を管理し、スリープモードの状態から一定時間毎に空間機能提示装置を起動させたり、起動後一定時間経過したらスリープモードに移行させたりする処理を行う部分である。このように、特定時間のみ装置を動作させることで、消費電力を抑え、電池モジュール１４の電池容量を節約できる。なお、このタイマモジュール１２が管理している時間は、サーバ１０からデータを送信して校正できるものとする。
【００１９】
記憶モジュール１３は、個々の空間機能提示装置に付与されているＩＤと、その機能を実現するプログラムとを記憶する部分である。この記憶モジュール１３は、半導体メモリを用いて構成すれば良い。小型のハードディスク装置を用いて構成しても良い。
電池モジュール１４は、空間機能提示装置の各部に電力を供給する部分である。この電
池モジュール１４には、例えば周知のボタン電池を用いる。サーバ１０からデータを送信することで、空間機能提示装置全体の電源をオフにしても良い。
処理モジュール１５には、周知のＰＩＣ（Ｐｒｏｇｒａｍｍａｂｌｅ  Ｉｎｔｅｇｒａｔｅｄ  Ｃｉｒｃｕｉｔ）などの簡易ＣＰＵ（Ｃｅｎｔｒａｌ  Ｐｒｏｃｅｓｓｉｎｇ  Ｕｎｉｔ）を使う。この処理モジュール１５は、記憶モジュール１３に記憶されているプログラムに従って所定の処理を行う。
【００２０】
（通信モジュール）
通信モジュール１１は、アンテナＡＮＴを有しており、このアンテナＡＮＴを介して他の通信モジュールと無線通信を行う。例えば、サーバ１０に接続されている空間機能提示装置１の通信モジュールと他の空間機能提示装置１ａ、１ｂ、１ｃ、との間で無線通信を行う。この通信モジュール１１は小電力無線機器であり、使用に際し免許は不要である。また、有線によるシステムに比べ設置にかかるコスト、時間が大幅に短縮できる。すなわち、特許文献１のように有線によるシステムを採用すると、ケーブルの配線や接続のためにコスト及び時間がかかるのに対し、本システムのように無線方式を採用すれば、そのような問題は生じない。
【００２１】
空間機能提示装置１ａ、１ｂ、１ｃ、からサーバ１０に接続されている空間機能提示装置１に情報を発する場合、トリガ信号、受信ＩＤ番号（後述するサーバのＩＤである「０」）の後に、空間機能提示装置自身の発信ＩＤ番号、機能番号および情報をサーバに送ることにより、空間機能提示装置の機能モジュールが、センサなどを有する場合には、その情報をサーバに集約することを可能とする。
【００２２】
（機能モジュール）
機能モジュール１６には、種々の機能を具備させることができる。物理的な機能としては、単なるＬＥＤ点灯、文字表示、音声出力するブザーなどに加え、スイッチやセンサ的な機能を有するもの、アクチュエータなど機械的な機能を有するものなどが考えられる。周知のＩＣタグを具備させても良い。複数種類の機能を具備させても良い。
この機能モジュール１６については、一部又は全部を、後付け追加できる構成としても良い。
この機能モジュール１６には、センサ測定時やアクチュエータ動作時など、その機能を発現させる時にのみ電源が供給されるので、消費電力を抑え、電池モジュール１４の電池容量を節約できる。
【００２３】
（インタフェースモジュール）
インタフェースモジュール１７は、上記の処理モジュール１５と機能モジュール１６との信号授受におけるインタフェースとしての機能を果たす。例えば、機能モジュール１６の出力がアナログ信号であれば、それをディジタル信号に変換して処理モジュール１５に伝達する機能を有する。シリアル信号をパラレル信号に変換したり、電圧レベルを変換したりする機能を果たす場合もある。
【００２４】
（サーバの構成）
図３は、図１中のサーバ１０の構成例を示すブロック図である。同図に示されているように、サーバ１０は、空間機能提示装置１のインタフェースモジュール１７との間での信号授受の際にシリアル−パラレル変換処理、プロトコル変換処理などを行うインタフェース１０ａと、ネットワーク１００に接続するためのネットワークアダプタ１０ｂと、サーバ１０の各部を制御するためのプログラム１０ｃを記憶するハードディスク１０ｄと、プログラム１０ｃの実行の際の記憶領域となるメモリ１０ｅと、ディスプレイなどの表示部１０ｆと、キーボードやマウスなどの入力部１０ｇと、各部を制御するＣＰＵ１０ｈとを含んで構成されている。
サーバ１０は、ネットワークアダプタ１０ｂを介してネットワーク１００に接続されている。そして、個々の空間機能提示装置にネットワークアドレスを割り振ることで、外部ネットワークから各空間機能提示装置にアクセスできるようになっている。
【００２５】
（空間機能提示装置の導入・追加）
個々の空間機能提示装置のＩＤは、個々にサーバ１０に接続されている空間機能提示装置１のアンテナＡＮＴに近づけてＩＤを教え込む形式を採用する。万が一、いずれかの空間機能提示装置が故障した場合には、その故障した装置の代わりに新たな空間機能提示装置を導入する。その場合、新たな空間機能提示装置をサーバシステムのアンテナに近づけてＩＤを書込むことで修復が簡便である。また、空間機能提示装置は安価であることから、故障した空間機能提示装置は基本的に使い捨てとする。
【００２６】
（データ構造）
サーバから送信され、空間機能提示装置において受信されるデータの構造が図４に示されている。同図を参照すると、サーバ１０に接続されている空間機能提示装置１から送信されるデータには、他の空間機能提示装置をウェイクアップさせるためのトリガ信号２１、受信側の空間機能提示装置を特定するための受信ＩＤ番号２２、発信側のサーバを特定するための発信ＩＤ番号２３、動作させる機能モジュールを示す機能番号２４、および、付加情報２５が含まれている。
【００２７】
空間機能提示装置は、通常スリープ状態にあり、内部タイマによる起動、もしくはサーバ１０から送信されるデータに含まれているトリガ信号２１によりウェイクアップする。
空間機能提示装置は、トリガ信号２１の後の受信ＩＤ番号２２が自装置の記憶モジュールに記憶されているＩＤ番号と一致しない場合、スリープ状態に戻る。一方、ＩＤ番号同士が一致する場合には、機能番号２４を読み込み、対応する機能を発現する。ＩＤ番号の認証はハードウェア的にＰＬＬ（Ｐｈａｓｅ  Ｌｏｃｋｅｄ  Ｌｏｏｐ）ロジックで行うか、ソフトウェア処理で行うものとする。
発信ＩＤ番号２３は、例えば、サーバ１０からの場合「０」とする。受信ＩＤ番号２２は空間機能提示装置に固有、もしくは重複しても可能な番号とする。重複して同じ番号を持つ空間機能提示装置がある場合は、サーバ１０から１つのデータを送れば、複数の空間機能提示装置が動作する。
【００２８】
機能番号２４は、例えば、ＬＥＤを点灯させる場合、赤ＬＥＤ点灯であれば「１」、青ＬＥＤ点灯であれば「２」、黄ＬＥＤ点灯であれば「３」とする。また、ＩＤ番号を記憶モジュールに書込む場合に「０」とするなど、機能番号と対応する動作とを事前に決めておく。すなわち、初めて使用する空間機能提示装置については、その記憶モジュールにはＩＤ番号が記憶されていない。この場合、機能番号２４によってＩＤ番号の書込みが指示されていれば、そのＩＤ番号が記憶モジュールに書込まれる。
付加情報２５は、例えば、ＩＤ番号を記憶モジュールに書込む場合に、書込むべきＩＤ番号がこれに相当する。
【００２９】
（通信モジュールの他の機能）
通信モジュール１１は、以下のような機能を具備していても良い。例えば、通信モジュール１１がリプライ機能を有していても良い。すなわち、サーバ１０からの機能番号が、例えばリプライ要求である場合、受信後すぐに空間機能提示装置はサーバ１０へ上述したデータ構造を有するリプライ信号を送信する。
このリプライ機能を用いることにより、サーバに接続されている空間機能提示装置１と他の空間機能提示装置とが無線通信でつながっていることを確認できると共に、サーバに接続されている空間機能提示装置１と同様の機能をある特定の機能モジュールが行うことも可能である。つまり、サーバに接続されている空間機能提示装置１と他の空間機能提示
装置との無線接続の確認をすることにより、サーバに接続されている空間機能提示装置１から特定の空間機能提示装置への無線接続ができない場合には、他の空間機能提示装置が中継的役割を果たすためのアドホック通信を行うことができる。
【００３０】
また、複数の空間機能提示装置のうち、１つの装置を主装置、他の装置をその従属装置とし、主装置から従属装置に対してポーリング信号を送信することで通信を行っても良い。これにより、ポーリング信号を受信するまではスリープモードのままであるため、消費電力を抑えることができる。
なお、通信モジュール１１は、基本的には送受信機能を有するが、必要に応じて送信だけ、受信だけの機能だけを有するようにしても良い。
【００３１】
（調剤薬局棚における表示システム）
空間機能提示装置の事例として、調剤薬局棚における表示システムについて説明する。
空間機能提示装置を調剤棚それぞれに貼り付け、ピックアップする棚の位置を直感的に調剤者に提示することで、調剤者のヒューマンエラーを排除することができる。処方箋のデータを打ち込むレセプトコンピュータ（以下、レセコンと呼ぶ）を図１中のサーバ１０とし、このサーバ１０に空間機能提示装置を接続する。この空間機能提示装置は、薬の棚の位置にある空間機能提示装置と共に、調剤薬局棚における表示システムを構成する。なお、レセコンとは、治療にかかった医療費を保険者である市町村や保険組合に請求するためのレセプト（調剤報酬明細書）を作成するコンピュータである。
【００３２】
（薬品棚の構成例）
図５は、薬品棚の構成例を示す概略図である。同図に示されているように、薬品棚は、薬品を収容するための容器となる複数の棚によって構成されている。
本例では、５段５列に並んだ２５個の棚それぞれに、空間機能提示装置１ａ〜１ｋ、１ｍ〜１ｚが設けられている。各棚に設けられている空間機能提示装置は、本例では、機能モジュールとして３個のＬＥＤを有している。３個のＬＥＤは、例えば赤色、黄色、青色、にそれぞれ発光するものを用いる。同図中の各棚の丸の中に「Ｒ」と記載されているものが赤色に発光するＬＥＤ、同じく「Ｙ」と記載されているものが黄色に発光するＬＥＤ、同じく「Ｂ」と記載されているものが青色に発光するＬＥＤ、である。
【００３３】
これら３個のＬＥＤを用いることによって、調剤案件ごとに発光色を変えた表示を実現する。調剤案件ごとに発光色を変えることで、複数の調剤者の調剤業務を同時にサポートすることができる。
すなわち、上記３種類の発光色と３枚の処方箋とを一対一に対応付ければ、ある処方箋に関連する薬剤が収容されている棚に設けられている空間機能提示装置の赤色発光ＬＥＤを発光させることにより、その処方箋に関連する薬剤をすぐに見つけ出すことができる。処方箋に複数種類の薬剤が記載されている場合は、それら薬剤が収容されている棚に設けられている空間機能提示装置のＬＥＤが同時に発光することになる。
【００３４】
他の２枚の処方箋についても同様に、それぞれ、黄色発光ＬＥＤ、青色発光ＬＥＤ、を発光させれば、その処方箋に関連する薬剤をすぐに見つけ出すことができる。
そして、ある処方箋に関連する薬剤を見つけ出すことができた場合には、その処方箋に対応するＬＥＤの発光を停止させる。その場合、センサを機能モジュールとして空間機能提示装置に設けておき、調剤者が棚をアクセスしたことをこのセンサで検出したタイミングでＬＥＤの発光を停止させれば良い。このようにすれば、容器から薬品を取り出した場合にのみ、ＬＥＤの発光を停止させることができ、取り出し忘れや重複して取り出すことを防止できる。なお、発光停止したＬＥＤの発光色は、次に処理すべき他の処方箋と対応付けられる。
【００３５】
なお、薬剤棚に収容される薬剤は、五十音順に並べられる必要は無く、収容されている薬剤を撤去したり、新たに薬剤を追加収容したりする場合にも薬剤の並べ替えは不要である。
さらに、薬剤のヒートシールにＩＣタグなどを貼り付けることができる場合、機能モジュールにＩＣタグのリーダを取り付けることで、例えば棚にある薬の種類、個数を自動的に判断し、その棚に入っている薬の種類を自動的にサーバ１０へ送ることができ、薬剤の在庫管理を行うこともできる。
【００３６】
ところで、機能モジュール１６に文字表示器を設けておけば、薬剤名などの文字を表示することも可能である。しかし、表示した文字の内容を調剤者が理解するのに時間がかかることもあるので、上記のように発光色で認識させるという単純で直感的に理解しやすい構成が好ましい。
調剤業務において、個々の棚に空間機能提示装置を取り付けることから、機能として、ＬＥＤなどの表示装置だけではなく、調剤者がその棚にアクセスしたことをセンシングするデバイスやブザーなどを機能モジュールとして組み込むことにより、ＬＥＤなどの表示を停止することを可能とするだけではなく、種々の機能を実現できる。例えば、調剤者が異なる棚（すなわち、間違った棚）をアクセスした際には警告ブザーを発することで、ヒューマンエラーを防止できる。
【００３７】
（動作処理例）
以下、以上説明した空間機能提示装置の動作処理例について図６を参照して説明する。同図において、空間機能提示装置は、通常時には、スリープモードになっている（ステップＳ１０１）。これにより、消費電力を抑えることができ、小容量の電池を電源として用いることができる。このスリープモードにおいて、トリガ信号を受信すると（ステップＳ１０２）、ウェイクアップ処理を行い（ステップＳ１０３）、受信したＩＤ番号を読み取る（ステップＳ１０４）。読み取ったＩＤ番号が一致しない場合は、再びスリープモードに移行する（ステップＳ１０５→Ｓ１０１）。
【００３８】
一方、読み取ったＩＤ番号が一致した場合は、発信ＩＤ番号、機能番号、および、付加情報を読み取る（ステップＳ１０６）。そして、機能モジュールを起動させる（ステップＳ１０７）。その後、必要な動作が終了したら、タイマモジュール１２の処理により、再びスリープモードに移行する（ステップＳ１０７→Ｓ１０１）。
以上のように、空間機能提示装置を、通常時はスリープモードとし、必要な場合にのみ動作させることによって、消費電力を抑えることができるので、小容量の電池を電源として採用することができる。このため、空間機能提示装置全体を小型化できると共に、装置の長寿命化を実現できる。
【００３９】
（応用例）
上述した空間機能提示システムは、空間機能提示装置を取り付ける物品や対象を変えることで種々の用途に利用することができる。例えば、図書館などの書庫では、人間が特定の本を検索する業務を行っている。しかしながら、書籍の配列順序に統一が取られていることは少なく、背表紙に張られたタグの番号を参考に検索している。上述した空間機能提示装置を書籍に貼付し、図書業務に空間機能提示システムを適用することにより、検索の効率化が図れる。同様に、レンタルビデオ等のレンタル業務に適用することもできる。
また、生活空間においては、物理的な機能、情報的な機能を有する個々の機器の制御を一括管理することを可能とするミドルウェアとして利用することができる。この場合、上述した空間機能提示装置を全ての家電製品に取付けておけば、各製品の電源オンオフを制御することができる。
【００４０】
（まとめ）
本発明は、情報システム機器の持つ情報と、空間的に分散配置された機器とを通信プロトコルで結ぶことにより、利用者が直感的に理解しやすい情報を提供する手段、及び物理的な機能を提示する手段、を実現することができる。これにより、調剤行為におけるヒューマンエラーを削減できるなど、種々の効果が得られる。
【産業上の利用可能性】
【００４１】
本発明は、同種の物品のなかから目的とする物品を見つけ出し易くする場合に用いることができる。その他、機能モジュールの有する機能により種々の用途に利用することができる。
【図面の簡単な説明】
【００４２】
【図１】本発明による空間機能提示システムの実施形態の構成を示すブロック図である。
【図２】図１中の空間機能提示装置の構成例を示すブロック図である。
【図３】図１中のサーバの構成例を示すブロック図である。
【図４】サーバから送信され、空間機能提示装置において受信されるデータの構造の例を示す図である。
【図５】薬品棚の構成例を示す概略図である。
【図６】空間機能提示装置の動作処理例を示すフローチャートである。
【符号の説明】
【００４３】
１、１ａ〜１ｋ、１ｍ〜１ｚ  空間機能提示装置
１０  サーバ
１０ａ  インタフェース
１０ｂ  ネットワークアダプタ
１０ｃ  プログラム
１０ｄ  ハードディスク
１０ｅ  メモリ
１０ｆ  表示部
１０ｇ  入力部
１０ｈ  ＣＰＵ
１１  通信モジュール
１２  タイマモジュール
１３  記憶モジュール
１４  電池モジュール
１５  処理モジュール
１６  機能モジュール
１７  インタフェースモジュール
２１  トリガ信号
２２  受信ＩＤ番号
２３  発信ＩＤ番号
２４  機能番号
２５  付加情報
１００  ネットワーク
ＡＮＴ  アンテナ
【図１】
2006006693.tif 000003
【図２】
2006006693.tif 000004
【図３】
2006006693.tif 000005
【図４】
2006006693.tif 000006
【図５】
2006006693.tif 000007
【図６】
2006006693.tif 000008